(57)【要約】      （修正有）【課題】光ピックアップと制御回路基板とを電気的に接続するフレキシブル配線板がディスク側に湾曲するのを効果的に抑制できるようにする。【解決手段】ディスクＤを載せて搬送するディスクトレイ３と、ディスクトレイ３により筐体１内のドライブ位置まで搬入されたディスクＤを回転させるターンテーブル４およびクランプ盤５と、回転されるディスクＤの盤面に沿ってその半径方向に移動する光ピックアップ８と、光ピックアップ８と制御回路基板１０とを接続する帯状のフレキシブル配線板１１と、を備えたディスク駆動装置である。ディスクトレイ３は、光ピックアップ８の移動範囲に対応する位置を開口せしめた開口部３２を有する。その開口部３２に、フレキシブル配線板１１の一端側がドライブ位置におけるディスクＤに接近する方向に湾曲するのを抑制する配線当接部３３が設けられる。【選択図】図２
2008010089.tif 000002
【特許請求の範囲】
【請求項１】
ディスクを載せて搬送するディスクトレイと、このディスクトレイにより筐体内のドライブ位置まで搬入されたディスクを回転させるディスク回転手段と、このディスク回転手段により回転されるディスクの盤面に沿ってその半径方向に移動する光ピックアップと、この光ピックアップと制御回路基板とを接続する帯状のフレキシブル配線板と、を備えたディスク駆動装置において、
前記ディスクトレイは、前記光ピックアップの移動範囲に対応する位置を開口せしめた開口部を有し、
当該ディスクトレイの開口部に、前記フレキシブル配線板と当接して該フレキシブル配線板の前記ドライブ位置におけるディスクに接近する方向への湾曲を抑制する配線当接部が設けられて成ることを特徴とするディスク駆動装置。
【請求項２】
配線当接部は、フレキシブル配線板の幅方向側縁に対応する位置に設けられることを特徴とする請求項１記載のディスク駆動装置。
【請求項３】
配線当接部に対応するフレキシブル配線板の側縁は、導体パターンが形成されない余白領域、あるいは接地線が通るグランドパターン領域とされていることを特徴とする請求項２記載のディスク駆動装置。
【請求項４】
配線当接部は、フレキシブル配線板に転がり接触する回転自在なローラであることを特徴とする請求項１〜３のいずれかに記載のディスク駆動装置。
【発明の詳細な説明】
【技術分野】
【０００１】
本発明は、情報記録媒体である光ディスクや光磁気ディスクといったディスクに楽曲情報などを記録したり、その記録情報を再生したりするのに用いられるディスク駆動装置に係わり、特にディスクに対する情報の書き込みや読み出しに用いられる光ピックアップと制御回路基板とを電気的に接続するフレキシブル配線板がディスクなどに接触して摩損するのを防止できるようにしたディスク駆動装置に関する。
【背景技術】
【０００２】
一般に、ＣＤプレーヤやＤＶＤレコーダといったディスク駆動装置は、ディスクを支持して回転させるターンテーブル、及びディスクの盤面に沿ってその半径方向に移動する光ピックアップなどを具備して構成される。特に、光ピックアップは、その移動が阻害されぬよう帯状のフレキシブル配線板（ＦＰＣ：Flexible Printed Circuit）を介して装置内の制御回路基板と電気的に接続され、その制御回路基板との間で信号の遣り取りが逐次行われるようになっている。
【０００３】
しかし、光ピックアップの移動に際してフレキシブル配線板の曲率が大きく変化し、ディスクの中心側に光ピックアップが移動するときなどには、フレキシブル配線板がディスク側に大きく湾曲してディスクなどに接触し、これによりフレキシブル配線板が摩損して動作不良を惹起したり、ディスクの信号記録エリアを傷付けて記録情報の再生に支障を来たしてしまったりする虞があった。
【０００４】
そこで、従来では光ピックアップにディスクと反対方向に傾斜する押さえ片を設け、この押さえ片によりディスクの方向に対するフレキシブル配線板の膨らみを抑制するようにしている（例えば、特許文献１）。
【０００５】
又、光ピックアップの移動範囲に対応する位置を開口せしめたディスクトレイにより、ディスクを搬送する方式のディスク駆動装置において、回路基板と光ピックアップとをシャーシに設けた開口を介して接続するフレキシブル配線板（フレキシブルプリント基板）に、シャーシの開口位置に設けた位置決め手段と係合する係合部を形成すると共に、フレキシブル配線板と光ピックアップとの接続箇所に、フレキシブル配線板の延出方向を規制して該フレキシブル配線板に湾曲形状を与える押さえ部材を設けたものが知られる（例えば、特許文献２）。
【０００６】
【特許文献１】特開平６−２４３６０１号公報
【０００７】
【特許文献２】特開平１０−２８３７４０号公報
【発明の開示】
【発明が解決しようとする課題】
【０００８】
しかしながら、特許文献１では光ピックアップに大型の押さえ片を設けることからコスト高になり、しかもフレキシブル配線板と押さえ片とは全幅にわたって面接触するので、長期の使用によりフレキシブル配線板の絶縁部分が剥落した場合、金属製の押さえ片ではフレキシブル配線板に形成される導体パターンが短絡してしまうという問題がある。
【０００９】
又、特許文献２によれば、シャーシの開口位置に設けた位置決め手段にフレキシブル配線板の部位を係合させることで回路基板側におけるフレキシブル配線板の動きを抑止することはできても、光ピックアップ側でフレキシブル配線板が大きく湾曲し、その湾曲部分がディスクトレイの開口部分を通じてディスクに接触する虞がある。
【００１０】
このため、特許文献２では、光ピックアップに特許文献１と同様の押さえ部材を設けているが、これによれば上記のようにコスト高を招く上、フレキシブル配線板の摩損による導体パターンの短絡という問題を発生する。
【００１１】
本発明は以上のような事情に鑑みて成されたものであり、その目的は光ピックアップと制御回路基板とを電気的に接続するフレキシブル配線板がディスク側に湾曲するのを効果的に抑制できるようにすることにある。
【課題を解決するための手段】
【００１２】
本発明は上記目的を達成するため、
ディスクＤを載せて搬送するディスクトレイ３と、このディスクトレイ３により筐体１内のドライブ位置まで搬入されたディスクＤを回転させるディスク回転手段４，５と、このディスク回転手段４，５により回転されるディスクＤの盤面に沿ってその半径方向に移動する光ピックアップ８と、この光ピックアップ８と制御回路基板１０とを接続する帯状のフレキシブル配線板１１と、を備えたディスク駆動装置において、
前記ディスクトレイ３は、前記光ピックアップ８の移動範囲に対応する位置を開口せしめた開口部３２を有し、
当該ディスクトレイ３の開口部３２に、前記フレキシブル配線板１１と当接して該フレキシブル配線板１１の前記ドライブ位置におけるディスクＤに接近する方向への湾曲を抑制する配線当接部３３，３５が設けられて成ることを特徴とするディスク駆動装置を提供する。
【００１３】
又、上記のようなディスク駆動装置において、配線当接部３３，３５は、フレキシブル配線板１１の幅方向側縁に対応する位置に設けられることを特徴とする。
【００１４】
更に、配線当接部３３，３５に対応するフレキシブル配線板１１の側縁は、導体パターンが形成されない余白領域、あるいは接地線が通るグランドパターン領域とされていることを特徴とする。
【００１５】
加えて、配線当接部３５は、フレキシブル配線板１１に転がり接触する回転自在なローラであることを特徴とする。
【発明の効果】
【００１６】
本発明によれば、ディスクトレイの開口部に配線当接部を設け、その配線当接部によりフレキシブル配線板の一端側がディスクに接近する方向に湾曲することを抑制されるようにしていることから、フレキシブル配線板が回転中のディスクの信号記録エリアなどに接触するのを防止することができ、しかも係る配線当接部は新たな部品を追加せずしてディスクトレイに一体成型することができるので、コストを掛けずに容易に実用化することができる。
【００１７】
更に、配線当接部が回転自在なローラとされることから、フレキシブル配線板との接触が滑り接触でなく転がり接触となるので、長期の使用でもフレキシブル配線板が摩損せず、その寿命を大幅に延ばすことができる。
【００１８】
又、配線当接部がフレキシブル配線板の幅方向両側縁に対応する位置に設けられることから、フレキシブル配線板が滑り接触する態様の配線当接部でもフレキシブル配線板の摩損部分をその両側縁部分に止め、フレキシブル配線板に形成される複数条の導体パターンが露出するのを防止できる。
【００１９】
特に、配線当接部に対応するフレキシブル配線板の両側縁が、導体パターンが形成されない余白領域、あるいは接地線が通るグランドパターン領域とされていることから、長期の使用によりフレキシブル配線板の両側縁の摩損が進行しても、光ピックアップと制御回路基板との間で制御信号を伝送することができる。
【発明を実施するための最良の形態】
【００２０】
以下、図面に基づき本発明を詳しく説明する。図１は本発明に係るディスク駆動装置の内部構造を示す斜視図、図２は同装置の断面概略図である。
【００２１】
図１および図２において、１は装置の外装を成す筐体であり、その前面にはスリット状の挿入口２が形成され、その挿入口２からＣＤやＤＶＤといったディスクＤを出し入れできるようになっている。３はディスクを載せて搬送するディスクトレイであり、このディスクトレイ３は、筐体１内に設けられる図示せぬトレイ送り機構により挿入口２の位置で前後方向（図２の矢印方向）に移動され、これが筐体１内に引き込まれたときには、図２のようにディスクトレイ３に載せられたディスクＤの中心部がターンテーブル４及びクランプ盤５の軸線上に位置するようになっている。
【００２２】
ターンテーブル４およびクランプ盤５は、ディスクトレイ３の移動経路を挟んで対向する部品であり、それらはディスクトレイ３により筐体１内のドライブ位置まで搬入されたディスクＤを回転させるディスク回転手段を構成する。尚、ディスクＤの中心部がターンテーブル４の軸線と合致する位置をドライブ位置と称し、ドライブ位置まで搬入されたディスクＤはターンテーブル４とクランプ盤５とにより中心部をクランプされて回転可能とされる。
【００２３】
又、図２において、６は筐体１に内蔵されるドライブユニット（一般にトラバースメカと呼ばれる）であり、このドライブユニット６は、ベースシャーシ７にターンテーブル４や光ピックアップ８を装置して構成される。
【００２４】
ターンテーブル４は、上記のようにディスク回転手段を構成する部品であり、これはスピンドルモータ９のロータ軸に固着される。
【００２５】
一方、光ピックアップ８は、ターンテーブル４により回転支持されるディスクＤの半径方向に移動しながらディスクＤの記録情報を読み出したり、情報の書き込みを行ったりするための電子部品ユニットであり、これはディスクＤの盤面に照射すべき光を発生するレーザダイオードなどの発光素子や、ディスクＤからの反射光を受け取る受光素子などを具備して構成される。
【００２６】
そして、係るドライブユニット６は、その全体がディスクトレイ３に載せられたディスクＤの盤面に対して直交する方向に移動（昇降）可能とされ、ディスクＤがドライブ位置まで搬入されると、該ドライブユニット６がクランプ盤５側に移動（上昇）し、これによりターンテーブル４とクランプ盤５とによるディスクＤのクランプが行われ、そのディスクＤがディスクトレイ３から稍浮上した状態で回転され、しかして光ピックアップ８がディスクＤの半径方向に移動しながら情報の読み出しや書き込みを行うようになっている。
【００２７】
特に、光ピックアップ８と筐体１の底部などに固定される制御回路基板１０とは、帯状のフレキシブル配線板１１（ＦＰＣ）により電気的に接続され、そのフレキシブル配線板１１により光ピックアップ８と制御回路基板１０との間で制御信号の遣り取りが可能とされる。尚、フレキシブル配線板１１は、後述のようにプラスチックフィルムなどの可撓性を有する電気絶縁基材上に複数条の導体パターンを形成したもので、それら導体パターンには絶縁被膜が施され、その各導体パターンを通じて制御信号が伝送されるようになっている。
【００２８】
ここで、図３および図４によりドライブユニットの構成を詳しく説明すれば、ベースシャーシには、図３に示されるようにその中央部分を切り抜いた開口部７Ａが形成されており、その両側に光ピックアップ８の移動案内をする左右一対のガイド軸１２が取り付けられ、そのガイド軸１２に沿って光ピックアップ８が移動可能に支持されている。
【００２９】
又、図３および図４において、１３は光ピックアップ８をガイド軸１２に沿って移動させるための駆動源（ピックアップ移動モータ）であり、このモータ１３は一方のガイド軸１２に隣接してベースシャーシ７に固設される。
【００３０】
図４で明らかなように、モータ１３にはガイド軸１２に平行してリードスクリュー１４の一端が直結され、そのリードスクリュー１４がモータ１３により正逆に回転駆動されるようになっている。又、光ピックアップ８には、リードスクリュー１４の螺旋溝に嵌まり込む歯部１５Ａを有する伝動部材１５が固設され、その伝動部材１５によりリードスクリュー１４の回転運動が光ピックアップ８の直進運動に変換されるようになっている。
【００３１】
尚、リードスクリュー１４はモータ１３による直接駆動方式とすることに限らず、その両者間に歯車列を介在せしめて動力伝達を行うようにしてもよい。又、伝動部材１５とリードスクリュー１４に代えて、ラックとピニオンを用いることもできる。
【００３２】
次に、ディスクトレイについて説明すると、係るディスクトレイ３はその全体が電気絶縁物であるプラスチックなどから一体成型される扁平状の板材であり、その片面（上面）側には図５のようにディスクを配置するための円形凹部３１が形成される。
【００３３】
又、図５で明らかなように、ディスクトレイ３には、円形凹部３１の中心から円形凹部３１の外側領域まで延びる横長の開口部３２が形成される。この開口部３２は光ピックアップ８の移動範囲に対応する位置を開口せしめたもので、フレキシブル配線板１１よりも幅広であり、ディスクを回転させるときには当該開口部３２の一端側でターンテーブル４がディスクトレイ３を貫通してディスクを支持し、その状態で光ピックアップが開口部３２の長さ方向（ディスクの半径方向）に移動することとなる。従って、光ピックアップ８からディスクの盤面に向けて照射されるレーザ光及びその反射光はディスクトレイ３で遮断されず、光ピックアップ８による情報の読み出しや書き込みが確実に行われる。
【００３４】
特に、ディスクトレイ３の開口部３２には、図５および図６のように小片状の配線当接部３３が設けられる。
【００３５】
この配線当接部３３は、フレキシブル配線板１１の一端側（光ピックアップ８側の一端部）がドライブ位置におけるディスクに接近する方向に湾曲するのを抑制するためのものであり、これは円形凹部３１の外周側でディスクトレイ３に一体として形成される。
【００３６】
特に、配線当接部３３は、表面が滑らかで丸みを帯びた形態（円柱状又はフレキシブル配線板１１に対向する側が円弧面とされる半円柱状）とされ、これはフレキシブル配線板１１の幅方向両側縁に対応する位置で開口部３２の両側壁面に相対向して突設される。そして、この配線当接部３３は、光ピックアップ８がディスクの内周側に位置するとき、フレキシブル配線板１１の幅方向両側縁と接触して、フレキシブル配線板１１が開口部３２を通じてディスク側に湾曲するのを抑制する。このため、ディスクの信号記録エリアにフレキシブル配線板１１が接触せず、ディスクおよびフレキシブル配線板１１の摩損が防止される。ここで、配線当接部３３を設けるのはフレキシブル配線板１１の一方の側縁に対応する位置でもよいが、図示例のように両側縁であることが好ましい。
【００３７】
尚、図６において、３４はディスクトレイ３の裏面側に形成されるラックであり、このラック３４が図示せぬピニオンと噛合うことにより、当該ピニオンの回転駆動でディスクトレイ３の走行駆動が行われるようになっている。
【００３８】
ここで、フレキシブル配線板１１は、図７のように可撓性を有する電気絶縁基材１１Ａ上に複数条の導体パターン１１Ｂを形成し、それら導体パターン１１Ｂに絶縁被膜を施して構成されるが、配線当接部３３に対応するフレキシブル配線１１の両側縁は、導体パターン１１Ｂが形成されない余白領域１１Ｃとされる。これによれば、配線当接部３３との摺接によりフレキシブル配線１１の両側縁が摩損しても導体パターン１１Ｂが剥落してしまうことがなく、それら導体パターン１１Ｂによる良好な信号伝送を長期にわたって保障できる。
【００３９】
尚、配線当接部３３に対応する両側縁の位置に導体パターン１１Ｂを形成した場合でも、配線当接部３３はディスクトレイ３と一体の電気絶縁物であるから、短絡を防止できる。但し、配線当接部３３に対応する位置に左右両側の導体パターン１１Ｂが通る場合、フレキシブル配線板１１の両側縁は両側の導体パターン１１Ｂを接地線とするグランドパターン領域とすることが好ましく、これによれば長期の使用でも制御信号の伝送に支障を来たさず、光ピックアップ８による情報の読み出しや書き込みを行うことができる。
【００４０】
次に、図８および図９に基づき、本発明に係るディスク駆動装置の動作説明をする。先ず、ディスクトレイ３に載せられて筐体内に搬入されたディスクＤは、その中心部がターンテーブル４と同軸上となるドライブ位置に位置付けられる。
【００４１】
ディスクＤがドライブ位置に位置付けられると、ドライブユニット６が図示せぬユニット昇降機構により上昇され、これによってターンテーブル４とクランプ盤５とによりディスクＤの中心部がクランプされる。このとき、ディスクＤはディスクトレイ３上に若干ながら浮上されてディスクトレイ３とは非接触となり、この状態でモータ９が起動されると、ターンテーブル４、クランプ盤５、及びその両者に挟まれたディスクＤが回転し、これと同時に光ピックアップ８がディスクＤの半径方向に移動しながらディスクＤに記録された情報の読み出しなどを行う。
【００４２】
特に、光ピックアップ８は、最初、図８のようにターンテーブル４に近接する位置（ディスクＤの内周側）にあって、ディスクＤの内周に記録されるリードインエリアの情報を読み取るが、このときフレキシブル配線板１１は、その幅方向両側縁がディスクトレイ３に設けた配線当接部３３に接触することで、図８の点線で示されるように湾曲し、ディスクＤに接近する方向への湾曲を抑制される。
【００４３】
尚、配線当接部３３が無き場合、フレキシブル配線板１１は図８の一点鎖線で示されるようにディスクＤ側に湾曲してディスクＤの信号記録エリアに接触する可能性があり、接触した場合にはディスクＤの信号記録エリアが傷付くのみならず、高速回転されるディスクＤによりフレキシブル配線板１１が摩損し、その摩損が早期に進行して光ピックアップ８と制御回路基板１０との間における信号の伝送が不通となる。
【００４４】
一方、光ピックアップ８がディスクＤの外周側に移動した場合には、図９のようにフレキシブル配線板１１が配線当接部３３より離れるが、光ピックアップ８がディスクＤの外周側に移動したときにはフレキシブル配線板１１が開口部３２の位置から外れるため、ディスクＤとフレキシブル配線板１１が接触する虞はなくなる。尚、図９ではフレキシブル配線板１１がディスクトレイ３の裏面部に接触した状態が示されるが、配線当接部３３の形成位置を図９の右下に移動すれば、フレキシブル配線板１１が配線当接部３３以外に接触するのを防止することができる。
【００４５】
以上、本発明の好適な一例を説明したが、配線当接部３３はディスクトレイ３に一体成型される小片状の突起であることに限らず、これをディスクトレイ３とは別の小型部品とし、これをディスクトレイ３の開口部３２に装着するようにしてもよい。
【００４６】
図１０は、配線当接部をローラとした例であり、この配線当接部３５（ローラ）もディスクトレイ３の開口部３２にあって、上記フレキシブル配線板１１の幅方向両側縁に対向する位置に設けられる。
【００４７】
本例において、ディスクトレイ３の開口部３２の両側壁面には、図１１のように配線当接部３５の回転軸となるピン３６が突設されると共に、そのピン３６に隣接して弾性を有するＬ字形の爪３７が突設される。そして、係る配線当接部３５は、図１２のようにピン３６にて回転自在に支持され、ピン３６からの離脱が爪３７にて防止される。
【００４８】
このような配線当接部３５によれば、これがフレキシブル配線板１１の両側縁に転がり接触するので、フレキシブル配線板１１の両側縁が摩損することは殆どないが、本例の場合も当該配線当接部３５に対応するフレキシブル配線板１１の両側縁は、導体パターンが形成されない余白領域、あるいは接地線が通るグランドパターン領域とすることが好ましい。又、この配線当接部３５もプラスチックやゴムといった電気絶縁物で形成することが好ましい。尚、フレキシブル配線板１１の両側縁のみに接触する小型の配線当接部３５であれば、ディスクトレイ３と別部品であっても、コスト上昇には繋がらない。
【図面の簡単な説明】
【００４９】
【図１】本発明に係るディスク駆動装置の内部を示す斜視図
【図２】同装置の断面概略図
【図３】同装置に内蔵されるドライブユニットを示す斜視図
【図４】ドライブユニットを構成する光ピックアップとその送り機構を示す斜視図
【図５】ドライブユニット上に位置するディスクトレイを示す斜視図
【図６】ディスクトレイを裏側からみた斜視図
【図７】フレキシブル配線板を部分的に破断して示した平面図
【図８】光ピックアップが内周側にある時のフレキシブル配線板の状態を示す説明図
【図９】光ピックアップが外周側にある時のフレキシブル配線板の状態を示す説明図
【図１０】配線当接部の変更例を示す斜視図
【図１１】図１０に示した配線当接部の分解図
【図１２】図１０に示した配線当接部の部分拡大図
【符号の説明】
【００５０】
３  ディスクトレイ
４  ターンテーブル
５  クランプ盤
６  ドライブユニット
８  光ピックアップ
１０  制御回路基板
１１  フレキシブル配線板
３２  ディスクトレイの開口部
３３  配線当接部
３５  配線当接部
【図１】
2008010089.tif 000003
【図２】
2008010089.tif 000004
【図３】
2008010089.tif 000005
【図４】
2008010089.tif 000006
【図５】
2008010089.tif 000007
【図６】
2008010089.tif 000008
【図７】
2008010089.tif 000009
【図８】
2008010089.tif 000010
【図９】
2008010089.tif 000011
【図１０】
2008010089.tif 000012
【図１１】
2008010089.tif 000013
【図１２】
2008010089.tif 000014